(57)【特許請求の範囲】
【請求項１】
枠に浴室側面材と脱衣室側面材を取り付けた建具体を、枠体に開閉自在に取付けた浴室建具であって、
前記浴室側面材は透光性面材で、その周縁部を、前記枠の内側面における見込み方向浴室側寄りに４周連続した内向凹部に嵌め込むようにして枠の見込み方向浴室側寄りに取り付けられ、
前記脱衣室側面材は遮光性面材で、その周縁部における少なくとも上縁部、下縁部又は左右縁部に面材取付用部材が、当該脱衣室側面材の前記縁部の浴室側面を覆うように設けられ、
この面材取付用部材を前記枠の内側面に固着することで、脱衣室側面材を枠の内側面における見込み方向脱衣室側寄りに位置するように取り付け、
前記浴室側面材と脱衣室側面材は見込み方向に離隔していることを特徴とする浴室建具。
【請求項２】
前記面材取付用部材は、枠の上内側面に固着した上アタッチメント、枠の下内側面に固着した下アタッチメントで、
前記脱衣室側面材の上縁部が上アタッチメントの下向き凹部に嵌め込んで取り付けられ、
前記脱衣室側面材の下縁部が下アタッチメントの上向き凹部に嵌め込んで取り付けられるようにした請求項１記載の浴室建具。
【請求項３】
前記面材取付用部材は、枠の上内側面に固着した上横格子、枠の下内側面に固着した下横格子、枠の左右内側面に固着した左右の縦格子で、
この各格子の脱衣室側面に脱衣室側面材の浴室側面の周縁部を取り付けるようにした請求項１記載の浴室建具。
【請求項４】
前記面材取付用部材は、上取付枠材と下取付枠材と左右の縦取付枠材を方形状に連結した面材取付枠で、
この面材取付枠の脱衣室側寄りに４周連続した内向凹部に脱衣室側面材の周縁部を嵌め込んで取り付けた請求項１記載の浴室建具。
【発明の詳細な説明】
【技術分野】
【０００１】
本発明は、浴室の出入口に用いる浴室建具に関する。
【背景技術】
【０００２】
従来、浴室建具としては、枠体に、ドアや障子などの建具体を開閉自在に取付けたものが一般的で、その建具体としては枠に面材を取付けたものが知られている。
例えば、特許文献１に開示されたように、枠の浴室側と脱衣室側とに透明、あるいは半透明の面材をそれぞれ取付けたドアが知られている。
【特許文献１】特開２００２−２８５７６３号公報
【発明の開示】
【発明が解決しようとする課題】
【０００３】
前述した従来の浴室建具は、ドアの枠に取付けた面材が透明、あるいは半透明の面材、つまり透光性面材であるから、脱衣室側から入浴者の全体のシルエットが透けて見えてしまうので、好ましくない。
しかも、ドアの脱衣室側の外観が脱衣室壁面の外観と著しく相違し、ドアの脱衣室側の見栄えと脱衣室内インテリアを調和させることができない。
【０００４】
本発明の目的は、脱衣室側から入浴者の全体のシルエットが透けて見えることがないと共に、建具体の脱衣室側の見栄えと脱衣室内インテリアを調和でき、しかも入浴者が建具体から閉塞感を受けることがないようにした浴室建具とすることである。
【課題を解決するための手段】
【０００５】
本発明は、枠に浴室側面材と脱衣室側面材を取り付けた建具体を、枠体に開閉自在に取付けた浴室建具であって、
前記浴室側面材は透光性面材で、その周縁部を、前記枠の内側面における見込み方向浴室側寄りに４周連続した内向凹部に嵌め込むようにして枠の見込み方向浴室側寄りに取り付けられ、
前記脱衣室側面材は遮光性面材で、その周縁部における少なくとも上縁部、下縁部又は左右縁部に面材取付用部材が、当該脱衣室側面材の前記縁部の浴室側面を覆うように設けられ、
この面材取付用部材を前記枠の内側面に固着することで、脱衣室側面材を枠の内側面における見込み方向脱衣室側寄りに位置するように取り付け、
前記浴室側面材と脱衣室側面材は見込み方向に離隔していることを特徴とする浴室建具である。
【０００６】
本発明においては、前記面材取付用部材は、枠の上内側面に固着した上アタッチメント、枠の下内側面に固着した下アタッチメントで、
前記脱衣室側面材の上縁部が上アタッチメントの下向き凹部に嵌め込んで取り付けられ、
前記脱衣室側面材の下縁部が下アタッチメントの上向き凹部に嵌め込んで取り付けられるようにできる。
【０００７】
本発明においては、前記面材取付用部材は、枠の上内側面に固着した上横格子、枠の下内側面に固着した下横格子、枠の左右内側面に固着した左右の縦格子で、
この各格子の脱衣室側面に脱衣室側面材の浴室側面の周縁部を取り付けるようにできる。
【０００８】
本発明においては、前記面材取付用部材は、上取付枠材と下取付枠材と左右の縦取付枠材を方形状に連結した面材取付枠で、
この面材取付枠の脱衣室側寄りに４周連続した内向凹部に脱衣室側面材の周縁部を嵌め込んで取り付けるようにできる。
【発明の効果】
【００１２】
本発明によれば、脱衣室側面材が遮光性面材であるから、脱衣室側から入浴者の全体のシルエットが透けて見えることがない。
また、脱衣室側面材の脱衣室側面を自由な見栄えとすることができるので、建具体の脱衣室側の見栄えと脱衣室内インテリアを調和できる。
また、入浴者が浴室側面材を見た時に、明るく、透けて見えるので、建具体から閉塞感を受けることがない。
【発明を実施するための最良の形態】
【００１３】
図１〜図３に示すように、枠体１に建具体２を開閉自在に取付けて浴室建具としてある。
前記枠体１は、上枠１０と下枠１１と左右の縦枠１２，１２を方形状に連結してある。
この枠体１は、建物躯体の浴室出入口用の開口部に取付けられる。
なお、建物躯体の浴室出入口用の開口部自体を枠体とすることもできる。
【００１４】
前記建具体２は、枠３に浴室側面材４と脱衣室側面材５を取付けてある。
前記枠３は、上枠材（上框）３０と下枠材（下框）３１と左右の縦枠材（縦框）３２，３２を方形状に連結してある。
前記浴室側面材４は透光性面材である。
前記脱衣室側面材５は遮光性面材で、前記浴室側面材よりも脱衣室側寄りに取付けてある。
このようであるから、脱衣室側から建具体２を見た時に脱衣室側面材５が見えるので、入浴者の全体のシルエットが透けて見えることがない。
【００１５】
また、脱衣室側面材５は遮光性面材であるから、その脱衣室側面５ａの見栄え（意匠）を自由なものとすることができるので、建具体２の脱衣室側の見栄えを脱衣室壁面と合わせることができる。
要するに、脱衣室側面材５を、遮光性面材で、その脱衣室側面５ａに意匠を施しても意匠性を有するものとすることによって、その脱衣室側面５ａの見栄え（意匠）を自由なものとすることができる。
例えば、脱衣室側面５ａに、着色したり、模様などを印刷したり、意匠を施したシートを貼着したり、それらを組み合わせたりして見栄え（意匠）を自由なものとすることができる。
したがって、建具体２の脱衣室側の見栄えと脱衣室内インテリアを調和させることができる。
【００１６】
また、浴室側面材４は透光性面材であるから、入浴者が建具体２を見た時に明るく、透けて見えるから、閉塞感を受けることがない。
【００１７】
次に、建具体２を詳細に説明する。
前記浴室側面材４は枠体３の見込み方向における浴室側寄りに取付けてあり、その浴室側面材４の浴室側面４ａと枠体３の見込み方向における浴室側面３ａとの段差が小さくしてある。
これによって、建具体２の浴室側面の清掃がやり易い。
例えば、上枠材３０、下枠材３１、縦枠材３２の見込み方向における浴室側寄りに内向き凹部３０ａ，３１ａ，３２ａがそれぞれ形成され、その内向き凹部３０ａ，３１ａ，３２ａが４周連続している。
前記内向き凹部３０ａ，３１ａ，３２ａに浴室側面材４の周縁部を嵌め込むようにして取付けられる。
【００１８】
前記脱衣室側面材５は枠体３の見込み方向における脱衣室側寄りに取付けてあり、その脱衣室側面材５の脱衣室側面５ａと枠体３の見込み方向における脱衣室側面３ｂとの段差を小さく、又は面一としてある。
これによって、建具体２の脱衣室側面の清掃がやり易い。
【００１９】
また、浴室側面材４が枠体３の浴室側寄りで、脱衣室側面材５が枠体３の脱衣室側寄りであることによって、建具体２を浴室側、脱衣室側から見た時に建具体２に一体感が得られると共に、重厚感を与えることができる。
【００２０】
図２と図３に示すように、前記脱衣室側面材５の浴室側面５ｂにおける上縁部と下縁部に、上ダボ３３、下ダボ３４が長手方向に間隔を置いて複数固着して取付けてある。例えば、接着、溶着、ビス止めなどで固着して取付けてある。
前記上ダボ３３は脱衣室側面材５の上端面５ｃよりも上方に突出した突部３３ａを有し、この突部３３ａが上枠材３０の内面３０ｂに形成した取付用穴３０ｃに嵌合して脱衣室側面材５の上縁部を上枠材３０に連結している。
前記下ダボ３４は脱衣室側面材５の下端面５ｄよりも下方に突出した突部３４ａを有し、この突部３４ａが下枠材３１の内面３１ｂに形成した取付用穴３１ｃに嵌合して脱衣室側面材５の下縁部を下枠材３１に連結している。
【００２１】
例えば、脱衣室側面材５を弾性変形する面材とし、上ダボ３３と下ダボ３４の一方を前述のように上枠材３０と下枠材３１の一方に連結し、その状態で脱衣室側面材５を図２に仮想線で示すように見込み方向に湾曲変形させて上ダボ３３と下ダボ３４の他方を上枠材３０、下枠材３１の他方の取付用穴３０ｃ，３１ｃに嵌合して連結する。
前記脱衣室側面材５の左右の縦端面５ｅは、左右の縦枠材３２の内側面３２ｂと対向している。
【００２２】
このようであるから、脱衣室側面材５を枠体３に簡単に取付けできると共に、簡単に取り外しすることができる。
【００２３】
この実施の形態では、建具体２は枠体１にヒンジで開閉自在に取付けられ、建具体２がドアで浴室建具は浴室ドアとしてある。
これに限ることはなく、２枚のドアを折曲自在に枠体１に取付けた折れ戸でも良いし、建具体２を障子として枠体１に面内方向に移動自在に取付けて引き戸、引き違い戸、片引き戸などを浴室建具としても良い。
【００２４】
前記脱衣室側面材５の枠体３への取付けは、前述の取付けに限ることはなく、種々の取付けができる。
例えば、図４、図５に示すように、上枠材３０の内側面３０ｂに上アタッチメント３５をビス３６で固着して取付け、この上アタッチメント３５の下向き凹部３５ａに脱衣室側面材５の上縁部を嵌め込んで取付ける。
前記下枠材３１の内側面３１ｂに下アタッチメント３７をビス３８で固着して取付け、その下アタッチメント３７の上向き凹部３７ａに脱衣室側面材５の下縁部を嵌め込んで取付ける。
前記脱衣室側面材５の左右の縦端面５ｅは左右の縦枠材３２の内側面３２ｂと対向している。
【００２５】
また、図６、図７に示すように、上横格子４０、下横格子４１を上枠材３０、下枠材３１の内側面３０ｂ，３１ｂに固着して取付ける。例えば、両面接着テープ４２で接着して取付ける。
左右の縦枠材３２の内側面３２ｂに左右の縦格子４３を固着してそれぞれ取付ける。例えば、両面接着テープ４２で接着して取付ける。
前記上横格子４０、下横格子４１、縦格子４３の脱衣室側面に脱衣室側面材５を固着して取付ける。例えば、脱衣室側面材５の浴室側面５ｂを両面接着テープ４２で接着して取付ける。
【００２６】
また、図８、図９に示すように、枠体３の内周面に面材取付枠５０を挿入して取付け、この面材取付枠５０に脱衣室側面材５を取付ける。
例えば、上取付枠材５１と下取付枠材５２と左右の縦取付枠材５３，５３を方形状に連結して面材取付枠５０とする。
前記各取付枠材５１，５２，５３は脱衣室側寄りに内向き凹部５１ａ，５２ａ，５３ａを有し、その各内向き凹部５１ａ，５２ａ，５３ａが４周連続する。
この内向き凹部５１ａ，５２ａ，５３ａに脱衣室側面材５の周縁部を嵌め込んで取付ける。
【００２７】
また、図示は省略するが、脱衣室側面材５の上縁部と下縁部、又は左右の縦縁部、又は各縁部（周縁部）に、弾性材により断面コ字状となった取付部材を嵌め込んで取付け、その取付部材を弾性変形しながら枠体３の内周面に押し込んで取付けるようにしても良い。
また、図示は省略するが脱衣室側面材５を額縁（モール）で枠体３の内周に取付けるようにしても良い。
【００３８】
また、前述の各実施の形態では枠３は１つの枠部のみを有するものとしたが、左右の縦枠材３２の上下方向中間部間に亘って中間枠材を連結して上の枠部と下の枠部を有する枠３とし、その上、下の枠部に浴室側面材４、脱衣室側面材５をそれぞれ取付けるようにしても良い。
この場合には、上の枠部と下の枠部とに脱衣室側面材を同じようにして取付けても良いし、異なる取付け方で取付けるようにしても良い。
なお、上枠材３０と下枠材３１とに亘って中間縦材を取付けて左の枠部と右の枠部を有する枠３とし、その各枠部に前述のように各面材を取付けるようにしても良い。
【図面の簡単な説明】
【００３９】
【図１】本発明の実施の形態を示す浴室建具の正面図である。
【図２】図１のＡ−Ａ断面図である。
【図３】図１のＢ−Ｂ断面図である。
【図４】建具体の第２の実施の形態を示す縦断面図である。
【図５】建具体の第２の実施の形態を示す横断面図である。
【図６】建具体の第３の実施の形態を示す縦断面図である。
【図７】建具体の第３の実施の形態を示す横断面図である。
【図８】建具体の第４の実施の形態を示す縦断面図である。
【図９】建具体の第４の実施の形態を示す横断面図である。
【符号の説明】
【００４０】
１…枠体、２…建具体、３…枠、３ａ…浴室側面、３ｂ…脱衣室側面、４…浴室側面材、４ａ…浴室側面、５…脱衣室側面材、５ａ…脱衣室側面、５ｂ…浴室側面、３０…上枠材、３１…下枠材、３２…縦枠材、３３…上ダボ、３４…下ダボ、３５…上アタッチメント、３７…下アタッチメント、４０…上横格子、４１…下横格子、４３…縦格子、５０…面材取付枠。
【図１】
0004974178.tif 000002
【図２】
0004974178.tif 000003
【図３】
0004974178.tif 000004
【図４】
0004974178.tif 000005
【図５】
0004974178.tif 000006
【図６】
0004974178.tif 000007
【図７】
0004974178.tif 000008
【図８】
0004974178.tif 000009
【図９】
0004974178.tif 000010